(57)【特許請求の範囲】
【請求項１】
スプレーガンにおける吐水開閉制御及び水量調整構造であって、ノズル部（２）と、ノズル部（２）に延伸接続されるグリップ部（１）を含み、前記ノズル部（２）は管体（２１）を含むとともにスプレーヘッド（２３）が組み付けられ、前記管体（２１）には吐水路が設けられており、前記グリップ部（１）は入水路（１１）を有し、前記入水路（１１）は前記ノズル部（２）の吐水路と連通しており、吐水路には分断部（２１２）が設けられており、前記分断部（２１２）は吐水路を第１室（２１１）と第２室（２３２）に分断し、前記第１室（２１１）と第２室（２３２）の間には経路（２３１）が設けられており、前記吐水路には可動バルブステム（４）が設けられており、前記可動バルブステム（４）は、第１端（４１）と、延伸形成される第２端（４２）を有し、前記第１端（４１）にはスリーブ部（４３）が設けられており、前記第２端（４２）の近傍位置には拡大部材（４４）が設けられているが、前記第２端（４２）は前記拡大部材（４４）から突出しており、第１端（４１）と第２端（４２）の間にはバネ（４５）が組み付けられており、前記第２端（４２）は前記経路（２３１）の形状と一致しており、且つ、前記第２端（４２）は前記経路（２３１）と係合して封止可能である構造において、
前記ノズル部（２）に設けられた制御装置（３）と、前記制御装置（３）は、押圧部材（３１）、位置規制部材（３３）及び回転制御部（３４）を含み、前記押圧部材（３１）は、組付端（３１１）、位置決め部（３１２）を有し、前記組付端（３１１）には貫通孔（３１３）が設けられており、
前記回転制御部（３４）には溝（３４１）及び複数の段差部が設けられており、
前記可動バルブステム（４）の第１端（４１）は、貫通孔（２２）を貫通して前記回転制御部（３４）の軸孔（３４６）を経由したあと、前記組付端（３１１）を貫通し、最後に位置規制部材（３３）によって組付端（３１１）に固定接続され、これにより、前記可動バルブステム（４）の第１端（４１）が前記組付端（３１１）から離脱しないよう規制され、
前記回転制御部（３４）は前記管体（２１）の基端に対応して組み合わされ、
前記回転制御部（３４）は中心線（３４ａ）周りに軸回転し、
前記押圧部材（３１）の組付端（３１１）のうち前記回転制御部（３４）に面する側に位置決め部（３１２）が設けられており、
前記位置決め部（３１２）は、前記回転制御部（３４）における選択されたいずれかの段差部に対応して当接可能であり、段差部のいずれか又は溝を選択して前記位置決め部（３１２）に対応させるよう前記回転制御部（３４）を回転させることで、前記可動バルブステム（４）が軸方向において前方又は後方へ変位するよう調整される結果、前記経路（２３１）からの前記可動バルブステム（４）の第２端（４２）の離開距離が微調整され、これにより、第１室（２１１）を第２室（２３２）に向かって開放することで、吐水路からの吐水量を制御するか、吐水を閉止し、
前記位置決め部（３１２）が前記回転制御部（３４）における選択された段差部に対応して当接することで、ノズル部（２）の操作により噴射される各吐水量が持続的に固定されることを特徴とする構造。
【請求項２】
前記複数の段差部は少なくとも２つ以上であり、且つ徐々に高さが増加する請求項１に記載のスプレーガンにおける吐水開閉制御及び水量調整構造。
【請求項３】
前記複数の段差部は前記組付端（３１１）に設けてもよく、これに対応して、前記位置決め部（３１２）は前記回転制御部（３４）に設けられ、且つ、前記複数の段差部は前記回転制御部（３４）の位置決め部（３１２）に対応して当接可能である請求項１に記載のスプレーガンにおける吐水開閉制御及び水量調整構造。
【請求項４】
スプレーガンにおける吐水開閉制御及び水量調整構造であって、
管体（２１）と、管体（２１）に組み付けられるスプレーヘッド（２３）を含むノズル部（２）であって、前記管体（２１）には吐水路が設けられており、前記吐水路には、前記吐水路を第１室（２１１）と第２室（２３２）に分断する分断部（２１２）が設けられており、前記分断部（２１２）には経路（２３１）が設けられており、前記吐水路には可動バルブステム（４）が設けられており、前記可動バルブステム（４）は、第１端（４１）と、延伸形成される第２端（４２）を有し、前記第１端（４１）にはスリーブ部（４３）が設けられており、前記第２端（４２）の近傍位置には拡大部材（４４）が設けられているが、前記第２端（４２）は前記拡大部材（４４）から突出しており、第１端（４１）と第２端（４２）の間にはバネ（４５）が組み付けられており、前記第２端（４２）は前記経路（２３１）の形状と一致しており、且つ、前記第２端（４２）は前記経路（２３１）と係合して封止可能であるノズル部（２）と、
延伸端に前記ノズル部（２）が接続されるグリップ部（１）であって、入水路（１１）が設けられており、前記入水路（１１）が前記ノズル部（２）の吐水路と連通しているグリップ部（１）と、
前記ノズル部（２）と前記グリップ部（１）との交差箇所に設けられる制御装置（３）であって、押圧部材（３１）、位置規制部材（３３）及び回転制御部（３４）を含み、前記押圧部材（３１）は、組付端（３１１）、位置決め部（３１２）を有し、前記組付端（３１１）には貫通孔（３１３）が設けられており、前記回転制御部（３４）には溝（３４１）及び複数の段差部が設けられており、前記可動バルブステム（４）の第１端（４１）は、貫通孔（２２）を貫通して前記回転制御部（３４）の軸孔（３４６）を経由したあと、前記組付端（３１１）を貫通し、最後に位置規制部材（３３）によって組付端（３１１）に固定接続され、これにより、前記可動バルブステム（４）の第１端（４１）が前記組付端（３１１）から離脱しないよう規制され、前記回転制御部（３４）は前記ノズル部（２）の基端に対応して組み合わされ、前記回転制御部（３４）は中心線（３４ａ）周りに軸回転し、前記押圧部材（３１）の組付端（３１１）のうち前記回転制御部（３４）に面する側に位置決め部（３１２）が設けられており、前記位置決め部（３１２）は、前記回転制御部（３４）における選択されたいずれかの段差部に対応して当接可能であり、段差部のいずれか又は溝を選択して前記位置決め部（３１２）に対応させるよう前記回転制御部（３４）を回転させることで、前記可動バルブステム（４）が軸方向において前方又は後方へ変位するよう調整される結果、前記経路（２３１）からの前記可動バルブステム（４）の第２端（４２）の離開距離が微調整され、これにより、第１室（２１１）を第２室（２３２）に向かって開放することで、吐水路からの吐水量を制御するか、吐水を閉止し、且つ、前記位置決め部（３１２）が前記回転制御部（３４）における選択された段差部に対応して当接することで、ノズル部（２）の操作により噴射される各吐水量が持続的に固定される制御装置（３）、を含む構造。
【請求項５】
前記複数の段差部は少なくとも２つ以上であり、且つ徐々に高さが増加する請求項４に記載のスプレーガンにおける吐水開閉制御及び水量調整構造。
【請求項６】
前記複数の段差部は前記組付端（３１１）に設けてもよく、これに対応して、前記位置決め部（３１２）は前記回転制御部（３４）に設けられ、且つ、前記複数の段差部は前記回転制御部（３４）の位置決め部（３１２）に対応して当接可能である請求項４に記載のスプレーガンにおける吐水開閉制御及び水量調整構造。
【請求項７】
スプレーガンにおける吐水開閉制御及び水量調整構造であって、
管体（２１）を有するノズル部（２）であって、前記管体（２１）には吐水路が設けられており、前記吐水路には分断部（２１２）が設けられており、前記分断部（２１２）には経路（２３１）が設けられており、且つ吐水路を第１室（２１１）と第２室（２３２）に分断し、前記吐水路には可動バルブステム（４）が設けられており、前記可動バルブステム（４）は、第１端（４１）と、延伸形成される第２端（４２）を有し、前記第２端（４２）は前記経路（２３１）の形状と一致しており、且つ、前記第２端（４２）は前記経路（２３１）と係合して封止可能であるノズル部（２）と、
前記ノズル部（２）に接続されるグリップ部（１）と、
前記ノズル部（２）と前記グリップ部（１）との交差箇所に設けられる制御装置（３）であって、押圧部材（３１）と回転制御部（３４）を含み、前記押圧部材（３１）は、組付端（３１１）、位置決め部（３１２）を有し、前記組付端（３１１）の一端は前記グリップ部（１）に枢設されており、前記回転制御部（３４）には溝（３４１）と複数の段差部が設けられており、前記可動バルブステム（４）の第１端（４１）は、貫通孔（２２）を貫通して前記回転制御部（３４）を経由したあと前記組付端（３１１）に組み付けられ、前記可動バルブステム（４）の第１端（４１）は前記組付端（３１１）から離脱することがなく、前記押圧部材（３１）の組付端（３１１）のうち前記回転制御部（３４）に面する側には位置決め部（３１２）が設けられており、前記位置決め部（３１２）は前記回転制御部（３４）における選択されたいずれかの段差部に対応して当接可能であり、前記位置決め部（３１２）に対応する選択された段差部によって、前記可動バルブステム（４）を軸方向の前方又は後方に特定の位置まで変位させるよう調整する制御装置（３）、を含む構造において、
前記回転制御部（３４）は前記ノズル部（２）の基端に対応して組み合わされ、
前記回転制御部（３４）は中心線（３４ａ）周りに軸回転し、
段差部のいずれか又は溝を選択して前記位置決め部（３１２）に対応させるよう前記回転制御部（３４）を回転させることで、前記経路（２３１）からの前記可動バルブステム（４）の第２端（４２）の離開距離が微調整され、これにより、第１室（２１１）を第２室（２３２）に向かって開放することで、吐水路からの吐水量を制御するか、吐水を閉止し、
前記位置決め部（３１２）が前記回転制御部（３４）における選択された段差部に対応して当接することで、ノズル部（２）の操作により噴射される各吐水量が持続的に固定される、ことを特徴とする構造。
【請求項８】
前記複数の段差部は少なくとも２つ以上であり、且つ徐々に高さが増加する請求項７に記載のスプレーガンにおける吐水開閉制御及び水量調整構造。
【請求項９】
前記複数の段差部は前記組付端（３１１）に設けてもよく、これに対応して、前記位置決め部（３１２）は前記回転制御部（３４）に設けられ、且つ、前記複数の段差部は前記回転制御部（３４）の位置決め部（３１２）に対応して当接可能である請求項７に記載のスプレーガンにおける吐水開閉制御及び水量調整構造。
【発明の詳細な説明】
【技術分野】
【０００１】
本創造は、「スプレーガンの吐水量を制御するための構造」に関し、特に、水流量の調整及び段階的制御部材の選択・固定が可能な園芸用のスプレーガンに関するものである。
【背景技術】
【０００２】
周知のスプレーガンは、水量を調整する制御部材と吐水量制御部材の固定構造とが２つの別々の構造となっている。特許文献１の流量調節制御では、流量を調整するための制御部材が、水制御バルブステム、バルブステムバネ、調整ナットからなり、調整ナットの回転により水制御バルブステムを引き動かして吐水量を調整することを開示している。また、特許文献２のスプレーガンの断裂防止構造では、スプレーガン本体の外側に制御部材が枢結されている。且つ、スプレーヘッドが通水口を有する空間を含み、空間の通水口とスプレーガン本体の吐水口とが連通するよう、スプレーヘッドとスプレーガン本体が連結されている。また、ピストンが貫通孔を有し、動作可能に空間内に設けられている。前記ピストンは、周囲に止水リングが設けられて空間の内壁に当接する。また、可動バルブステムがスプレーガン本体の水路内に設けられており、一端がスプレーガン本体を貫通して制御部材に接続されるとともに、他端がストッパとなっている。可動バルブステムとスプレーガン本体との間には付勢バネが設けられており、付勢バネが可動バルブステムを押動することでストッパがピストンの貫通孔を閉塞して止水する。且つ、戻しバネがスプレーヘッドの空間に設けられており、戻しバネの一端がピストンに当接している。また、図面には、スプレーガン本体の外側に押圧部材が設けられることが示されている。前記押圧部材がスプレーガン本体の水制御バルブステムに組み付けられることで、調整部材と位置決め部材が設置されている。前記調整部材と位置決め部材は別々に設けられる２つの制御部材である。前記調整部材は水量の調整の機能を、前記位置決め部材は水量の持続的な放出の制御機能を提供する。
【０００３】
そのため、操作者は、これら２つの制御部材を別々に２回操作しなければ、水量調整と持続的な放出の制御の機能を達成することができない。
【先行技術文献】
【特許文献】
【０００４】
【特許文献１】台湾特許出願公開第２０３７７５号公報
【特許文献２】台湾特許第Ｍ２９３７９６号公報
【発明の概要】
【発明が解決しようとする課題】
【０００５】
本発明は、上記２つの制御部材を１つの制御部材に集約し、１つの制御部材を１回操作するだけで水量調整及び持続的な放出の制御の機能を達成可能とすることを目的とする。
【課題を解決するための手段】
【０００６】
本発明は、ノズル部とグリップ部を含む。前記ノズル部は吐水噴射機能を有する。また、前記ノズル部は前記グリップ部に接続されており、前記ノズル部と前記グリップ部との交差箇所には制御装置が設けられている。前記グリップ部とノズル部は入水路と吐水路が連通しており、前記吐水路には可動バルブステムが設けられている。前記制御装置は押圧部材と回転制御部を含み、前記押圧部材の一端が前記可動バルブステムの一端に組み付けられている。また、前記回転制御部には複数の段差部が設けられており、前記押圧部材には、前記回転制御部の段差部に対応する位置決め部が設けられている。いずれかの段差部を選択して前記位置決め部に対応させるよう前記回転制御部を回転操作することで、前記可動バルブステムを軸方向の前方又は後方に調整して、吐水のための間隔を微調整する。これにより、吐水路の吐水量を制御することで、ノズルの操作により噴射される各吐水量を規定及びコントロールする。
【図面の簡単な説明】
【０００７】
【図１】図１は、本発明の分解斜視図である。
【図２】図２は、本発明の他の角度から見た分解斜視図である。
【図３】図３は、本発明の組立図である。
【図４】図４は、前記回転制御部が、前記ノズル部の管体の中心軸を支軸として軸回転する際の一部を分解及び拡大した図である。
【図５】図５は、本発明の他の実施例の図である。
【図６】図６は、図５の側面図である。
【図７】図７は、本発明における吐水閉止実施時の断面図である。
【図８】図８は、本発明における第１段階の吐水の実施例の断面図である。
【図９】図９は、本発明における第２段階の吐水の実施例の断面図である。
【図１０】図１０は、本発明における第３段階の吐水の実施例の断面図である。
【図１１】図１１は、本発明における第４段階の吐水の実施例の断面図である。
【発明を実施するための形態】
【０００８】
図１〜図４を参照して、ノズル部２及びグリップ部１を含む。前記ノズル部２は吐水噴射機能を提供する。また、前記ノズル部２は前記グリップ部１に延伸接続される。ノズル部２は、管体２１と、管体２１の先端に設けられるスプレーヘッド２３を含む。また、管体２１は吐水路を囲繞している。前記グリップ部１には入水路１１が設けられており、前記入水路１１は前記ノズル部２の吐水路と連通している。吐水路には分断部２１２が設けられており、前記分断部２１２によって吐水路が第１室２１１と第２室２３２に分断されている。図７に示すように、前記分断部２１２には経路２３１が設けられている。また、前記ノズル部２の基端には貫通孔２２が設けられており、前記貫通孔２２は前記第１室２１１と連通している。前記第１室２１１には可動バルブステム４が設けられている。前記可動バルブステム４は、第１端４１と、延伸形成される第２端４２を有する。前記第１端４１にはスリーブ部４３が設けられている。また、前記第２端４２の近傍位置には拡大部材４４が設けられているが、前記第２端４２は前記拡大部材４４から突出しており、且つ止水リング４２１が覆設されている。また、第１端４１と第２端４２の間にはバネ４５が組み付けられている。前記第２端４２は前記経路２３１の形状と一致している。且つ、前記第２端４２は前記経路２３１と係合可能であり、前記止水リング４２１によって前記経路２３１を封止する。前記可動バルブステム４の第１端４１は、貫通孔２２を貫通して前記回転制御部３４を経由したあと、前記組付端３１１に組み付けられる。また、前記ノズル部２と前記グリップ部１の交差箇所には制御装置３が設けられている。前記制御装置３は押圧部材３１と回転制御部３４を含む。前記押圧部材３１は組付端３１１を有し、前記組付端３１１の一端がグリップ部１に枢結されている。また、前記組付端３１１には貫通孔３１３と位置決め部３１２が設けられており、前記位置決め部３１２は前記組付端３１１のうち回転制御部３４に面する対応位置に設けられている。前記回転制御部３４には、押部３４７、溝３４１及び複数の段差部が設けられている。本実施例では、複数の段差部をそれぞれ第１段差部３４２、第２段差部３４３、第３段差部３４４、第４段差部３４５とするが、本発明の特徴要件はこれに限らない。且つ、前記第４段差部３４５は第３段差部３４４よりも高く、前記第３段差部３４４は第２段差部３４３よりも高く、前記第２段差部３４３は第１段差部３４２よりも高くなっている。前記複数の段差部は、少なくとも２つ以上とし、且つ徐々に高さが増加するものと定義する。前記押部３４７は、前記回転制御部３４の側辺に少なくとも１つ設けられており、回転制御部３４の回転移動の調整に用いられる。前記可動バルブステム４の第１端４１は、貫通孔２２を貫通して前記回転制御部３４の軸孔３４６を経由したあと、前記組付端３１１の貫通孔３１３を貫通し、最後に位置規制部材３３によって組付端３１１に固定接続される。これにより、前記可動バルブステム４の第１端４１が前記組付端３１１から離脱しないよう規制する。また、更に蓋部３２によって前記組付端３１１を封止する。図４に示すように、前記回転制御部３４は、前記ノズル部２の基端に対応して組み合わされる。また、前記回転制御部３４は中心線３４ａ周りに軸回転する。且つ、前記回転制御部３４は、段差部のいずれか又は溝３４１を選択して前記位置決め部３１２に対応させるよう回転させられる。本実施例の図面において、前記回転制御部３４は、可動バルブステム４を中心支軸として限定的な軸回転を行うが、本図は本発明の回転制御部３４の特徴要件を制限するものではない。また、前記位置決め部３１２は、前記回転制御部３４における選択されたいずれかの段差部に対応して当接可能である。段差部のいずれかを選択して前記位置決め部３１２に対応させるよう前記回転制御部３４を回転させることで、前記可動バルブステム４が軸方向において前方又は後方へ変位するよう調整される結果、前記経路２３１からの前記可動バルブステム４の第２端４２の離開距離が微調整される。これにより、第１室２１１を第２室２３２に向かって開放し、吐水路からの吐水量を制御する。また、前記位置決め部３１２が前記回転制御部３４における選択された段差部に対応して当接することで、ノズル部２の操作により噴射される各吐水量が持続的に固定される。
【０００９】
また、図５及び図６に示すように、本発明の他の実施例では、前記複数の段差部を前記組付端３１１に設けてもよい。前記複数の段差部は、第１段差部３４２ａ、第２段差部３４３ａ、第３段差部３４４ａ、第４段差部３４５ａを含む。また、前記位置決め部３１２ａは前記回転制御部３４に設けられる。且つ、前記複数の段差部（第１段差部３４２ａ、第２段差部３４３ａ、第３段差部３４４ａ、第４段差部３４５ａ）は、前記回転制御部３４の位置決め部３１２ａに対応して当接可能である。この場合にも同様に、前記回転制御部３４を回転させることで、選択された第１段差部３４２ａ又は第２段差部３４３ａ又は第３段差部３４４ａ又は第４段差部３４５ａに前記位置決め部３１２ａを対応及び当接させることが可能である。これにより、前記可動バルブステム４が軸方向において前方又は後方へ変位するよう調整される結果、前記経路２３１からの前記可動バルブステム４の第２端４２の離開距離が微調整される。そして、これにより、第１室２１１を第２室２３２に向かって開放し、吐水路からの吐水量を制御する。また、前記位置決め部３１２ａが前記選択された段差部に対応して当接することで、ノズル部２の操作により噴射される各吐水量が持続的に固定及び調節される。
【００１０】
図７〜図１１を参照して、実施される操作は次の通りとなる。
【００１１】
図７は、本発明における吐水閉止状態である。前記押圧部材３１を押圧することで前記可動バルブステム４を連動させ、前記押部３４７を押動することで回転制御部３４の回転移動を調整する。これにより、前記回転制御部３４を回動させて位置決め部３１２を前記溝３４１内に進入させたあと、前記押圧部材３１を開放して前記可動バルブステム４を連動させれば、前記可動バルブステム４の第２端４２が前記経路２３１を封止することで、第１室２１１から第２室２３２への水流が閉止される。
【００１２】
本実施例では、放出時の水量を４段階の水量に分けて持続的に放出可能である。図８は、第１段階の水量で持続的に放出する場合の定量吐水状態である。使用者は、所望の吐水量に応じて前記押圧部材３１を押圧し、前記可動バルブステム４を連動させる。すると、前記可動バルブステム４の第２端４２が前記経路２３１から離開し、第１室２１１の水流が第２室２３２に向けて放出される。続いて、前記押圧部材３１を押圧して前記可動バルブステム４を連動させ、前記押部３４７を押動して回転制御部３４の回転移動を調整することで、押圧部材３１の位置決め部３１２を第１段差部３４２に対応及び当接させる。このとき、前記押圧部材３１の組付端３１１が前記可動バルブステム４を軸方向において後方へ変位させることで、前記可動バルブステム４の第２端４２が徐々に前記経路２３１から離開する。そして、前記押圧部材３１を開放すると、前記可動バルブステム４のバネ４５が可動バルブステム４をわずかに前方へと引っ張ることで、位置決め部３１２が第１段差部３４２に当接する結果、回転制御部３４が一時的に動かないよう位置決めされる。このとき、回転制御部３４の第１段差部３４２は押圧部材３１の組付端３１１とわずかな間隔を隔てる。位置決め部３１２が第１段差部３４２に当接し、前記押圧部材３１の組付端３１１と回転制御部３４がわずかな間隔を隔てることから、前記可動バルブステム４の第２端４２は経路２３１をわずかに開放して第１段階の小水量となり、第１室２１１から第２室２３２へと定量で吐水する。そして、最後に、第２室２３２の水がスプレーヘッド２３から噴射される。次に、図９は、第２段階の水量で持続的に放出する場合の位置決めの例である。第１段階の水量の設定操作と同様に、前記押圧部材３１を押圧して前記可動バルブステム４を連動させ、前記押部３４７を押動して回転制御部３４の回転移動を調整することで、前記位置決め部３１２を第２段差部３４３に対応及び当接させる。このとき、前記押圧部材３１の組付端３１１が前記可動バルブステム４を軸方向において後方へ変位させることで、前記可動バルブステム４の第２端４２が前記経路２３１から更に離開する。そして、前記押圧部材３１を開放すると、前記可動バルブステム４のバネ４５が可動バルブステム４をわずかに前方へと引っ張ることで、位置決め部３１２が第２段差部３４３に当接する結果、回転制御部３４が一時的に動かないよう位置決めされる。このとき、回転制御部３４の第２段差部３４３は押圧部材３１の組付端３１１と大きな間隔を隔てる。この場合、通水空間を拡大可能となるため、時間あたりの流体の通過可能流量が増大し、第２段階の中水量となって、第１室２１１から第２室２３２へと定量で吐水される。そして、最後に、第２室２３２の水がスプレーヘッド２３から噴射される。次に、図１０は、第３段階の水量で放出する場合の位置決めである。第２段階の水量の設定操作と同様に、前記押圧部材３１を押圧して前記可動バルブステム４を連動させ、前記押部３４７を押動して回転制御部３４の回転移動を調整することで、前記位置決め部３１２を第３段差部３４４に対応及び当接させる。このとき、前記押圧部材３１の組付端３１１が前記可動バルブステム４を軸方向において後方へ変位させることで、前記可動バルブステム４の第２端４２が前記経路２３１から更に離開する。そして、前記押圧部材３１を開放すると、前記可動バルブステム４のバネ４５が連動して可動バルブステム４をわずかに前方へと引っ張ることで、位置決め部３１２が第３段差部３４４に当接する結果、回転制御部３４が一時的に動かないよう位置決めされる。このとき、回転制御部３４の第３段差部３４４は、押圧部材３１の組付端３１１と管体２１の間隔を大きく隔てる。この場合、通水空間を拡大可能となるため、時間あたりの流体の通過可能流量が増大し、第３段階の大水量となって、第１室２１１から第２室２３２へと定量で吐水される。そして、最後に、第２室２３２の水がスプレーヘッド２３から噴射される。次に、図１１は、第４段階の水量で放出する場合の位置決めである。第３段階の水量の設定操作と同様に、前記押圧部材３１を押圧して前記可動バルブステム４を連動させ、前記押部３４７を押動して回転制御部３４の回転移動を調整することで、前記位置決め部３１２を第４段差部３４５に対応及び当接させる。このとき、前記押圧部材３１の組付端３１１は、前記可動バルブステム４を軸方向において後方へと変位させる。そして、前記押圧部材３１を開放すると、前記可動バルブステム４のバネ４５が連動して可動バルブステム４をわずかに前方へと引っ張ることで、位置決め部３１２が第４段差部３４５に当接する結果、回転制御部３４が一時的に動かないよう位置決めされる。このとき、第４段差部３４５は、押圧部材３１の組付端３１１と管体２１の間隔を更に大きく隔て、前記可動バルブステム４の第２端４２が前記経路２３１から更に離開する。これにより、前記可動バルブステム４の第２端４２が前記経路２３１から更に離開して通水空間が拡大されることから、時間あたりの流体の通過可能流量が増大し、第４段階の超大水量となって、第１室２１１から第２室２３２へと定量で吐水される。そして、最後に、第２室２３２の水がスプレーヘッド２３から噴射される。
【００１３】
以上述べたように、本創造は画期的な構造設計を確実に達成するものであり、改良された創造内容を有するとともに、産業上の利用可能性と進歩性を達成可能である。且つ、本創造はいかなる刊行物にもみられず、新規性を有していることから、特許法の関連条項の規定を満たしている。以上より、法に基づき発明特許として出願する。貴局審査官が合法的な特許権を授与くだされば幸いである。
【００１４】
以上は本創造の好ましい実施例にすぎず、本創造の実施範囲を限定するものではない。即ち、本創造の特許請求の範囲に基づく均等な変形及び補足はいずれも本創造の特許の範囲に属するものとする。
【符号の説明】
【００１５】
１      グリップ部
１１    入水路
２      ノズル部
２１    管体
２１１  第１室
２１２  分断部
２２    貫通孔
２３    スプレーヘッド
２３１  経路
２３２  第２室
３      制御装置
３１    押圧部材
３１１  組付端
３１２  位置決め部
３１３  貫通孔
３２    蓋部
３３    位置規制部材
３４    回転制御部
３４ａ  中心線
３４１  溝
３４２  第１段差部
３４３  第２段差部
３４４  第３段差部
３４５  第４段差部
３４２ａ  第１段差部
３４３ａ  第２段差部
３４４ａ  第３段差部
３４５ａ  第４段差部
３１２ａ  位置決め部
３４６    軸孔
３４７    押部
４        可動バルブステム
４１      第１端
４２      第２端
４２１    止水リング
４３      スリーブ部
４４      拡大部材
４５      バネ
【図１】
0006981690.tif 000002
【図２】
0006981690.tif 000003
【図３】
0006981690.tif 000004
【図４】
0006981690.tif 000005
【図５】
0006981690.tif 000006
【図６】
0006981690.tif 000007
【図７】
0006981690.tif 000008
【図８】
0006981690.tif 000009
【図９】
0006981690.tif 000010
【図１０】
0006981690.tif 000011
【図１１】
0006981690.tif 000012